(57)【要約】本発明によれば、前記端末は、患者宅に設置され、離れた在宅医療センターと電話連絡（１）のできる基礎モジュール（１００）を備えており、前記基礎モジュール（１００）は、少なくとも一つの在宅医療サービスの機能専用の、少なくとも一つの補完モジュール（２００、３００、４００）を受け入れることと、電話連絡（１）を介して、離れたセンターと情報交換をするのに適している。在宅医療に応用される。
2004508914.tif 000002
【特許請求の範囲】
【請求項１】
患者宅に設置され、離れた在宅医療センターと電話連絡（１）のできる基礎モジュール（１００）を備えており、前記基礎モジュール（１００）は、少なくとも一つの在宅医療サービス機能専用の少なくとも一つの補完モジュール（２００、３００、４００）を受け入れることと、電話連絡（１）を介して離れた前記センターとの情報交換に適していることを特徴とする、在宅医療サービスのモジュール端末。
【請求項２】
前記基礎モジュールは、電話連絡（１）を介して前記センターから来る画像と音声の受信手段（１１１、１１２）と、電話連絡（１）を介して患者宅から来る画像と音声の離れたセンターへの送信手段（１２１、１２２）とを備えている遠隔支援モジュール（１００）であることを特徴とする、請求項１に記載の端末。
【請求項３】
前記送信手段を構成するのは、離れたセンターから遠隔制御可能なカメラ（１２１）とマイクロホン（１２２）であることを特徴とする、請求項２に記載の端末。
【請求項４】
前記受信手段を構成するのは、テレビ受像機（１１３）であることを特徴とする、請求項２または請求項３に記載の端末。
【請求項５】
前記画像及び音声受信手段は、離れたセンターから来る呼び出し通報手段を備えていることを特徴とする、請求項２から請求項４のいずれか一つに記載の端末。
【請求項６】
離れたセンターから来る電話連絡の開始、受取り、また、その終了に適した電波周波数装置を備えていることを特徴とする、請求項２から請求項５のいずれか一つに記載の端末。
【請求項７】
さらにまた、前記遠隔支援モジュール（１００）に接続された遠隔観察の補完モジュール（２００）を備え、その遠隔観察の補完モジュール（２００）には支援機器（２１０）及び／または生化学センサ（２２０）の検査手段を備えていることを特徴とする、請求項２から請求項５のいずれか一つに記載の端末。
【請求項８】
前記検査手段は、遠隔観察モジュール（２００）と支援機器（２１０）及び／または生化学センサ（２２０）との間の電波周波数によって連絡が行われることを特徴とする、請求項７に記載の端末。
【請求項９】
遠隔観察モジュール（２００）はまた、離れたセンターに向けた警報の発信手段も備えていることを特徴とする、請求項７または請求項８に記載の端末。
【請求項１０】
遠隔支援モジュール（１００）は常時、電話連絡（１）において一本の使用可能な線の存在を検査することを特徴とする、請求項９に記載の端末。
【請求項１１】
電話連絡（１）は常時、警報を離れたセンターに伝送するために一本の使用可能な線を有することを特徴とする、請求項１０に記載の端末。
【請求項１２】
警報の発信は、電話連絡（１）では優先的に取り扱われることを特徴とする、請求項９から請求項１１のいずれか一つに記載の端末。
【請求項１３】
警報は、患者宅から来る画像と音声の前記送信手段（１２１、１２２）のロックを自動的に解除することを特徴とする、請求項９から請求項１２のいずれか一つに記載の端末。
【請求項１４】
遠隔支援モジュール（２００）は、警報の発信後のデータの記録に適したバッファ・メモリーを備えていることを特徴とする、請求項９から請求項１３のいずれか一つに記載の端末。
【請求項１５】
支援機器（２１０）及び／または生化学センサ（２２０）は、前記遠隔支援モジュール（２００）に対する自動認証手段を常時備えていることを特徴とする、請求項７から請求項１４のいずれか一つに記載の端末。
【請求項１６】
遠隔観察モジュール（２００）は、支援機器（２１０）及び生化学センサ（２２０）の状態を常時、自立的に管理し点検することを特徴とする、請求項１５に記載の端末。
【請求項１７】
遠隔観察モジュール（２００）は、遠隔観察モジュール（２００）の機能に必要な予備機能を遠隔支援モジュール（１００）における所定の位置につけた状態で、遠隔支援モジュール（１００）に対する自動認証手段を常時備えていることを特徴とする、請求項７から請求項１６のいずれか一つに記載の端末。
【請求項１８】
遠隔支援モジュール（１００）は、遠隔観察モジュール（２００）の状態を常時、自立的に管理し点検することを特徴とする、請求項１７に記載の端末。
【請求項１９】
医療診断器具（３１０）を受入れ、前記器具（３１０）から得られたデータの記録に適した遠隔相談の補完モジュール（３００）を備えていることを特徴とする、請求項１から請求項１８のいずれか一つに記載の端末。
【請求項２０】
遠隔相談モジュール（３００）は、遠隔支援モジュール（１００）に接続されており、遠隔相談モジュール（３００）の機能に必要な予備機能を遠隔支援モジュール（１００）における所定の位置につけた状態で、遠隔支援モジュールに対して常時、自動認証手段を備えていることを特徴とする、請求項１９に記載の端末。
【請求項２１】
遠隔相談モジュール（３００）は、遠隔観察モジュール（２００）に接続されており、遠隔相談モジュール（３００）の機能に必要な予備機能を遠隔支援モジュール（１００）における所定の位置につけた状態で、遠隔観察モジュールに対して常時、自動認証手段を備えていることを特徴とする、請求項１９に記載の端末。
【請求項２２】
医療診断器具（３１０）で得られたデータの伝送は、画像を撮影し、離れたセンターに向けて転送することにより、直接読取モードで行われることを特徴とする、請求項１９から請求項２１のいずれか一つに記載の端末。
【請求項２３】
医療診断器具（３１０）で得られるデータの伝送は、画像を撮影し、遠隔支援モジュール（１００）で表示し、離れたセンターに向けて転送することにより間接読取モードで行われることを特徴とする、請求項１９から請求項２１のいずれか一つに記載の端末。
【請求項２４】
前記データ伝送は、データの直接受取モードで把握して離れたセンターに転送することにより、行われることを特徴とする、請求項１９から請求項２１のいずれか一つに記載の端末。
【請求項２５】
前記データ伝送は、データの間接受取モードで離れたセンターで読み取るために相談端末（３２０）に記録することにより、行われることを特徴とする、請求項１９から請求項２１のいずれか一つに記載の端末。
【請求項２６】
前記遠隔相談モジュール（３００）は自立的であり、同時に医療診断器具（３１０）で得られたデータを記録することを特徴とする、請求項２５に記載の端末。
【請求項２７】
遠隔相談モジュール（３００）は、医療診断器具（３１０）付きであり、携帯可能であることを特徴とする、請求項１８から請求項２６に記載のいずれか一つに記載の端末。
【請求項２８】
前記遠隔支援モジュールは、患者宅で看護スタッフを補助するモジュール（４００）を備えていることを特徴とする、請求項２から請求項２７のいずれか一つに記載の端末。
【請求項２９】
前記補助モジュール（４００）は、スキャナー・ヘッド（４１０）と、電子メールと、データ把握手段と、写真撮影手段とを備えていることを特徴とする、請求項２８に記載の端末。
【発明の詳細な説明】
。
【０００１】
【発明が属する技術分野】
本発明は在宅医療サービスのモジュール端末に関するものである。
【０００２】
【従来の技術及び発明が解決しようとする課題】
本発明が特に有利となる応用分野は、自宅で安静にしていることであれ、在宅看護であれ、あるいは自宅療養であれ、在宅医療サービス分野全般であり、更に一般的には、患者が通常の生活環境で医療サービスを享受することを可能にするあらゆる手段に応用できる。特に、自宅にとどまることを決めた、あるいは、手術を受けた後に帰宅することにしたものの、医療または看護サービスとの関わりを保つ必要があるという人には、うってつけのものである。このような関わりを保つことの必要性は、頻度においても、継続期間においても同様に、一時的であるのが一般である。
【０００３】
未公開の仏国特許発明第２０００−０３３６７号明細書により知られるところによると、患者用の在宅医療遠隔支援システムは、幾つかの設備を取りまとめたものであり、それにより、この患者が在宅で確実に医療介護が受けられるような働きをするものである。この端末は、在宅医療の看護部署または離れた在宅医療センターに接続され、医療施設にあるいは独立して設置されており、患者の端末からの情報を受信し、患者宅に設置された設備に制御命令を送信するのに適している。
【０００４】
しかしながら、現行技術の水準で既知の在宅医療サービス端末には二種類の不都合がある。一つは、性質の大きく異なる多数の機能性を同一の端末で一本化する場合、あらゆる能力が１００％活用されることは稀であり、その役割に比べて、投資金額が高くなってしまうことである。もう一つは、患者宅に設置されている設備に関する技術的進歩に適合させていこうとすると、この種の端末に関しては、適合に固定設備や高い費用などのようなしばしば負担である構造的変更を必要とすることである。
【０００５】
そういうわけで、本発明が解決すべき技術的課題は、在宅医療サービスの享受という要望に常に応じることができ、またそのサービスの必要性に応じて改良することもでき、しかも、これら全てが最小限の費用でできるような端末を提案することである。
【０００６】
【課題を解決するための手段】
本発明に従えばそのような技術的課題の解決方法は、在宅医療サービスのモジュール端末から成り、その注目すべき点は、患者宅に設置され、離れた在宅医療センターと電話連絡のできる基礎モジュールを備えており、前記基礎モジュールは、少なくとも一つの在宅医療サービス機能専用の少なくとも一つの補完モジュールを受け入れることと、電話連絡を介して離れた前記センターとの情報交換に適していることである。
【０００７】
そういうわけで、モジュラリティの原理は、本発明の目的である端末の設計の元となったものであり、該原理は、適宜選択した補完モジュールをその基礎モジュールに追加することで、基礎モジュールを常に求められるサービスに沿ったものにすることを可能にする。
【０００８】
更に、補完モジュールのそれぞれは、その基礎モジュールから独立して、技術的進歩に応じて発展、そして変更されることが可能であり、このようにして、本発明に従ったモジュール端末の適用範囲に多大な柔軟性を保証する。
【０００９】
要するに、本発明による医療端末モジュールの利点は、次のようなものである。
・端末の機能を、サービスの要望に応じて適したものにする。
・補完モジュールの設計を、他のもの、そして基礎モジュールとも独立して行う。
・端末全体に問題を生じさせることなく技術的変更や改良を加えることができる。
・発揮される機能を最適なものにできる。
・モジュールの相互交換による容易な運用効率の維持。
・端末の価格に対し、最適な医療。
【００１０】
本発明のモジュール端末の一つの実施例において、前記基礎モジュールは、電話連絡を介して前記センターから来る画像と音声の受信手段と、電話連絡を介して患者宅から来る画像と音声の離れたセンターへの送信手段とを備えた、遠隔支援モジュールである。
【００１１】
本発明の目的である端末を、このような最小限の応用例で用いると、基礎モジュールは専らテレビ電話的な遠隔医療サービスを最小限の費用で保証し、それは、離れたセンターにいる臨床医に口頭で患者と意志疎通をはかることと、その患者とその環境についての視覚的な情報を得ることを可能にする。そのため、前記送信手段を構成するのは、離れたセンターから遠隔制御可能なカメラと、マイクロホンであることが想定される。
【００１２】
前記受信手段はテレビ受像機から成り、基礎モジュールの簡略化した、そして更に安価にした応用例も考察される。このような機能の情報伝送が可能なのは、患者のほとんど全員が、自宅にテレビ受像機をもっているからである。このように簡略化された遠隔支援基礎モジュールは、電話のネットワークとテレビ受像機との間のインターフェースとしての役割を果たし、画像と音声の受信は患者宅のテレビ受像機で、テレビ送受像端子を介して行われる。モジュールが管理するのは、送信手段の本来の機能のみであり、画像と音声を捉えることだけである。
【００１３】
本発明の端末の応用例で、更に進歩したものは、更に他に、一つの遠隔観察の補完モジュールを備えていることから成り、該補完モジュールは前記遠隔支援モジュールに接続されており、前記遠隔観察モジュールは支援機器手段及び／または生化学的センサの検査手段を備えている。
【００１４】
このような装備により、本発明にかなったモジュール端末は、離れたセンターの看護スタッフに、支援機器または生化学的センサ、あるいはその両方を制御しながら、在宅の患者を看護することを可能にする。言うまでもなく、そこで用いられる器具は、患者の病状に適した種のものであり、また、臨床医が処方を行うことになる。同じ臨床医が、その機器とセンサを管理するプログラムを処方する。
【００１５】
本発明の端末のモジュールの性質は一般的に、そのようなモジュールの連鎖のモジュールのうちの、近辺の上流に位置するものに接続され、一つの端末モジュールを自動認証により、更に容易に得ることができる。このような自動認証は、いつの時点においても常時実現され、連鎖を構成するモジュールのうちの上流にある一つに電圧を加えている時だけではなく、あらゆる時に行われる方が好ましい。言い換えると、対象となる単位モジュールへ電圧を加えるのは、単に上流にある単位モジュールと接続し、つぎに、その単位モジュールのところで自動認証され、はじめのモジュールが機能するのに必要な予備機能の所定の位置につけたような仕方で行われる。忘れてならないのは、そのような単位モジュールが電波周波数で上流の単位モジュールと通信を行う場合には、電圧を加えるのは、電源から直接行われるのであり、上流側の単位モジュールとの比較による自動認証は、その後に行われる。
【００１６】
よって、本発明に従えば、前記の支援機器および／または生化学的センサは、遠隔観察モジュールに対して常時、自動認証手段を備えており、その遠隔観察モジュールに対する自動認証手段は、遠隔観察モジュールは、遠隔観察モジュールの機能に必要な予備機能を遠隔支援モジュールにおける所定の位置につけた状態で、遠隔支援モジュールに対する自動認証を常時備えている。
【００１７】
本発明のもう一つの特徴で、特に有利なものは、遠隔観察モジュールが同様に、離れたセンターへの警報の発信手段を備えているということである。この配置は、例えば、検査された単位のうちの一つ、機器あるいはセンサが故障したりした場合、または指示された点やプログラムされた点からデータの一つがずれているような場合に、離れたセンターの看護スタッフに急を知らせることを可能にする。
【００１８】
この警報の発信機能の重要性に鑑みて、本発明が特に想定するのは、その遠隔支援モジュールが常時、電話連絡に使用可能な回線の存在を検査するということ、そして、警報の発信は電話連絡に優先的に扱われることである。そのような意味では、その電話連絡は常時、離れたセンターに警報を伝送するために一本の使用可能な線を呈することが好ましい。
【００１９】
最後に、本発明の端末の、もう一つの進歩した応用例は、医療診断器具を受入れ、前記器具から得られたデータの記録に適した遠隔相談の補完モジュールを備えている。
【００２０】
一つの実施例においては、遠隔相談モジュールは、遠隔支援モジュールに接続されており、遠隔相談モジュールの機能に必要な予備機能を遠隔支援モジュールにおける所定の位置につけた状態で、遠隔支援モジュールに対して常時、自動認証手段を備えている。
【００２１】
変形例としては、遠隔相談モジュールは、遠隔観察モジュールに接続されており、遠隔相談モジュールの機能に必要な予備機能を遠隔支援モジュールにおける所定の位置につけた状態で、遠隔観察モジュールに対して常時、自動認証手段を備えている
【００２２】
同様に、本発明の対象であるモジュール端末に改良を施したことに留意しなくてはならず、該モジュール端末は遠隔支援モジュールが、患者宅で看護スタッフの補助手段を備えていることから成る。特に、前記補助手段は、スキャナー・ヘッドと、電子メールと、データ把握手段と、写真撮影手段とを含むものである。
【００２３】
【発明の実施の形態】
添付の図面を参照にした以下に続く説明は、非制限的な例として挙げられたものであり、本発明の本質とその実施方法を明らかにするものである。
【００２４】
図１は、本発明にかなった在宅医療サービスのモジュール端末を示す。
【００２５】
図１には、モジュール端末は、看護スタッフによる看護、あるいはその他のあらゆる医療介護の機能のような在宅医療サービスを享受したいという患者の自宅に設置されるものであることが示されている。この端末は図１には示されていない離れたセンターに接続されており、該端末は、例えば医療施設などに設置され、また、自宅にとどまっている患者の容態の遠隔調査を担当する臨床医が、前記端末が装備した様々な器具によって情報またはデータを交換できるようにしている。
【００２６】
更に詳しく述べると、図１のモジュール端末は、電話連絡機能１を有する基礎モジュール１００を備えており、該基礎モジュールは、一般的に少なくとも一つの在宅医療サービス機能専用の少なくとも一つの補完モジュールを受け入れることと、電話連絡１を介して離れた前記センターとの情報交換に適している
【００２７】
詳しくは後述にて明らかにされるが、前記補完モジュールは、遠隔観察モジュール２００、遠隔相談モジュール３００、あるいは更には、患者宅における看護スタッフの補助モジュール４００でもあり得る。
【００２８】
図１に示された実施例においては、基礎モジュール１００は、遠隔支援モジュールであり、該モジュールの本質的な機能は、離れたセンターに位置する臨床医と自宅の患者との間の視聴覚によるコミュニケーションサービスを提供することである。そのため、遠隔観察モジュール１００は、電話連絡１を介した離れたセンターから送信される画像と音声の受信手段を含み、これらの手段は、電話回線１に接続された、パソコン１１０の、モニター１１１とスピーカー１１２であってもよく、また、そのパソコンの中央処理装置はモジュール１００の機能に必要なメモリーとプログラムを備えている。同様に、臨床医は患者宅から送信される画像と音声の受信を、特に遠隔操作されるカメラ１２１とマイクロホン１２２である送信手段によって行う。
【００２９】
特筆すべきは、遠隔支援機能を最小限の費用で行われることが、基礎モジュール１００によって実現されているために保証されていることであり、該モジュールはこの機能専用に割り当てられたものであり、この件については使われないことになる他の機能の装備は存在しないものである。
【００３０】
患者の大部分は自宅にテレビ受像機をもっていることから、遠隔支援モジュール１００の、更に簡略な応用例を提案することも可能であり、該モジュールにおいて前記受信手段はテレビ受像機１１３から成るものである。画像と音声は、テレビ受像機の差し込み口を介してモジュール１００の中央処理装置１１０から受信される。中央処理装置１１０が本来の特性として管理するのは、カメラ１２１とマイクロホン１２２だけということになる。
【００３１】
例えば、受信手段にはめ込む形ことによる離れたセンターからの呼び出し、あるいは離れたセンターから送信される電話通信の開始、受け入れ、そして終了のための電波周波数装置の設置等によって知らせる手段のような、幾つかの改良を想定することが可能である。
【００３２】
図１に示されているように、基礎モジュール１００は、遠隔観察補完モジュール２００と言われるものを受け入れることができるものであり、該モジュールは、医療機器２１０あるいは生化学センサ２２０の検査手段を管理しながら、離れたところにいる患者の観察を可能にする。この検査は、例えば、遠隔観察モジュール２００と電波周波数による、つまりは無線接続によって実現されている。
【００３３】
医療機器２１０として挙げられるのは、酸素療法用の酸素濃縮器や非経口的栄養注入器であり、そして生化学センサ２２０として挙げられるのは、心電図記録器、肺活量計、心臓病患者用体重計、血圧計等である。
【００３４】
遠隔観察モジュール２００の設置は、単純に基礎モジュール１００に接続することで行われる。接続されるとすぐに、モジュール２００は自動的に電気を供給される。この時点では、遠隔観察モジュール２００は、モジュール２００の機能に必要な予備機能を所定の位置に付けた状態で、基礎モジュール１００との比較で自動認証を受ける。同様に、機器２１０と生化学センサ２２０は、それぞれ電圧を加えられた上で、遠隔観察モジュール２００との比較で自動認証を受ける。これは、遠隔観察モジュール２００に接続して自動的に行ってもよいし、モジュール２００との連絡が電波周波数によるものである場合には、直接電源につなぐことで実現してもよい。一般的には、自動認証は、認証機関によって認知された独自の認証メッセージの送信により行われる。言う迄もなく、図１の端末に生じるいかなる変更も離れたセンターに伝送され、それにより、センターは常に端末の現状についての情報を受けることになる。当然のこととして、これらの自動認証と参照の働きは、端末を操作する作業員の介在なしに、行われる。
【００３５】
遠隔観察モジュール２００の管理プログラムのインストールは、資格を有する担当者が作成したフレキシブルディスクやＣＤ−ＲＯＭを用いて、設置担当の作業員によって行われても、離れたセンターからダウンロードすることで行われてもよい。端末全体が一旦、使用可能な状態になれば、モジュール２００は自立的に、機器２１０やセンサ２２０から送信されるデータの管理を行う。
【００３６】
管理プログラムにより可能となるのは、支援機器が作動する地点の遠隔からの変更と、基礎モジュールを介して、離れたセンターへのデータを遠隔的に読み取りダウンロードすることと、データを回収すること、それらを制御し、指定された制限と比較して警報を発信することを可能にし、具体的には、そのプログラムが遠隔観察モジュール、機器及びセンサの状態の点検をはっきりとした形で行い、異常があれば、離れたセンターに警報を発信するということである。
【００３７】
警報を発信する基準は、指定された制限に対する数値の余りにも大きな変化、医療支援機器またはセンサの故障の検出、遠隔観察モジュール自体の故障の検出等であり、そのような場合には、基礎モジュールが離れたセンターに警報を発信することになる。結局のところ、警報はいかなる状況においても、センターに到達しなければならないため、電話連絡に使用可能な回線が離れたセンターに警報を伝送するために常時存在することが不可欠であり、そして、さらに、警報の発信は、そのような電話連絡において優先的に取り扱われる。それゆえに、そのプログラムは、一本の線が使用可能であるということを常時点検しており、そうでない場合は、離れたセンターに警報が発信されることになる。
【００３８】
実際的には、例えはＲＮＩＳネットワークを介した連絡の場合は、通常は信号専用の回線Ｄの警報の伝送に充てられる線として使用することが可能である。
【００３９】
離れたセンターにいる臨床医が警報を受けた場合、疑念を取り除くために、患者宅から送信される画像と音声の送信手段１２１、１２２のロックを自動的に解除することが想定される。そのような場合に、臨床医は診断を下すために必要なあらゆる情報とデータを入手することができる。
【００４０】
安全のために、遠隔支援モジュール２００はバッファ・メモリーを備えており、該メモリーは、警報の発信後のデータの記録に適している。
【００４１】
図１にはまた、その端末における、例えば、聴診器や体温計のような医療診断器具３１０を受け入れ、それらの器具から得られたデータを記録する遠隔相談の補完モジュール３００の存在を示すものである。このモジュール３００の目的は、様々な機能を活用することで、医師がしっかりとした確信を得ることができるようにすることである。患者の病状、医師、与えられた機能を保証するための統合された器具を用いられるかどうかに基本的に左右されてしまうため、その機能のすべてを網羅して一覧表にすることはできない。
【００４２】
既に上述したように、様々な診断器具３１０と遠隔相談モジュール３００間の連絡は、写真撮影の機能は別として、電波周波数によって実現される。
【００４３】
遠隔相談モジュール３００を、図１のモジュール端末に据えつけるのについては、様々な構成が考えられる。
【００４４】
第一の構成において、遠隔相談モジュール３００は、遠隔支援モジュール１００に接続されており、また、遠隔支援モジュール１００の内部で、遠隔相談モジュール３００の機能に必要な予備機能を所定の位置につけた状態で、遠隔支援モジュールとの比較で自動認証を受ける。
【００４５】
第二の構成において、遠隔相談モジュール３００は、遠隔観察モジュール２００に接続されており、また、遠隔支援モジュール１００の内部で、遠隔相談モジュール３００の機能に必要な予備機能を所定の位置につけた状態で、遠隔観察モジュールとの比較で自動認証を受ける。
【００４６】
最後に、第三の構成において、前記遠隔相談モジュール３００は自立的であり、同時に医療診断器具３１０から得られるデータを記録する。
【００４７】
この遠隔相談モジュール３００は、常に患者のもとにいることを必ずしも目的とはしておらず、むしろ、臨床医の求めに応じ、看護をする者の予定に合わせて設置されるためのものであるということから、例えばスーツケースに入れた、診断器具３１０付きの遠隔相談モジュール３００を携帯できるようにすることを想定することに利点がある。遠隔相談モジュール３００については、例えば以下のような、幾つもの作動態様が考えられる。
・医療診断器具３１０で得られたデータの伝送は、直接読取モードで、画像を撮影し、離れたセンターに転送することによって行われる。
・医療診断器具３１０で得られたデータの伝送は、間接読取モードで、画像を撮影し、遠隔支援モジュール１００で表示し、離れたセンターに転送することによって行われる。
・データの伝送は、直接読取モードで、把握し、離れたセンターに転送することによって行われる。
・データの転送は、間接読取モードで、離れたセンターで読み取りのための相談端末３２０上に記録することによって行われる。この相談端末は、例えば、ＰＤＡタイプの携帯装置である。
【００４８】
最後に、図１の端末には、患者宅で看護スタッフの補助モジュール４００の存在を見て取れる。このモジュールは、基礎モジュール１００に変更を加え、看護スタッフ人員の活動、特に、家ごとに移動する看護スタッフに役立つような機能を組み込むことを可能にする。
【００４９】
これらの機能に、在宅医療担当者や治療に当たる医師、患者宅に赴く他の人へのメッセージを書いたり、離れたセンター、または、在宅医療の他のモジュール端末に転送するための電子メールがある。電子メールはまた、離れたセンターから送信される、家を巡回する看護スタッフ、治療に当たる医師、あるいは患者自身に宛てたメッセージを読むことを可能にする。
【００５０】
もう一つの機能は写真撮影に関するものである。この場合、在宅の看護スタッフは、カメラ１２１の遠隔制御を切り離し、患者または他のすべての対象に照準を合わせ、写真を撮り、それを離れたセンターに伝送する。
【００５１】
同様に、モジュール４００も用いられるが、それは、離れたセンターに転送するための書面によるデータや、患者のファイルに記載されることになる情報や、次の訪問の準備をするための情報（メモ）を把握するためである。
【００５２】
図１に示されるように、補助モジュール４００はスキャナー・ヘッド４１０を含んでおり、それにより、離れたセンターに転送する前に表示しながら、（処方、分析結果等の）資料をコピーすることができる。同様に、写真撮影は、離れたセンターに転送する前に画面１１１上にその写真と患者のファイルを表示しながら、基礎モジュール１００に基づいて操作を行うことができる。
【図面の簡単な説明】
【図１】本発明にかなった在宅医療サービスのモジュール端末を示す。
【図１】
2004508914.tif 000003
【国際公開パンフレット】
2004508914.tif 000004
2004508914.tif 000005
2004508914.tif 000006
2004508914.tif 000007
2004508914.tif 000008
2004508914.tif 000009
2004508914.tif 000010
2004508914.tif 000011
2004508914.tif 000012
2004508914.tif 000013
2004508914.tif 000014
2004508914.tif 000015
2004508914.tif 000016
2004508914.tif 000017
2004508914.tif 000018
2004508914.tif 000019
2004508914.tif 000020
【国際調査報告】
2004508914.tif 000021
2004508914.tif 000022
2004508914.tif 000023
2004508914.tif 000024
2004508914.tif 000025
2004508914.tif 000026